(57)【要約】【課題】  街路灯の支柱、電柱の柱、及びテラスの柱等の固定物に取り付けたフックに容器を吊り下げる従来の方式では、容器は固定されていないこと、及び一本のフックでの吊り下げのために、歩行者が不注意に接触した場合に揺れ動き、場合によっては落下する危険性がある。さらには、容器は工具無しで容易に取り外しできるために、持ち去られる危険性もある。【解決手段】  街路灯の支柱、電柱、駐車場の車止め、及びテラスの柱等の固定物の外周に固定する固定リングと、該固定リングに取り付けて花鉢又は植木鉢等の容器を支持する支持杆とで構成された容器の固定装置であって、前記固定リングは、その外周々方向に間隔をおいて対をなし、かつその幅方向に支持杆受容穴を有する支持部を備え、前記支持杆はＬ型を呈し、その一側を前記支持杆受容穴に挿入固定し、他側を前記容器の取り付け穴に挿入固定する。【選択図】図１
2005137829.tif 000002
【特許請求の範囲】
【請求項１】
街路灯の支柱、電柱、駐車場の車止め、及びテラスの柱等の固定物の外周に固定する固定リングと、該固定リングに取り付けて花鉢又は植木鉢等の容器を支持する支持杆とで構成された容器の固定装置であって、前記固定リングは、その外周々方向に間隔をおいて対をなし、かつその幅方向に支持杆受容穴を有する支持部を備え、前記支持扞はＬ型を呈し、その一側を前記支持杆受容穴に挿入固定し、他側を前記容器の取り付け穴に挿入固定することを特徴とする容器の固定装置。
【請求項２】
街路灯の支柱、電柱、駐車場の車止め、及びテラスの柱等の固定物の外周に固定する固定リングと、該固定リングに取り付けて花鉢又は植木鉢等の容器を支持する支持杆と、前記固定リングの外周に固定した支脚とで構成された容器の固定装置であって、前記固定リングは、その外周々方向に間隔をおいて対をなし、かつ前記固定リングの幅方向に支持杆受容穴を有する支持部を備え、前記支持杆はＬ型を呈し、その一側を前記支持杆受容穴に挿入固定し、他側を前記容器の取り付け穴に挿入固定することを特徴とする容器の固定装置。
【請求項３】
前記固定リングは、前記固定物と接触する内壁に弾性体を備えていることを特徴とする請求項１または２に記載の容器の固定装置。
【請求項４】
前記対をなす支持部は、間隔を異にした複数個であることを特徴とする請求項１、２または３の何れかに記載の容器の固定装置。
【請求項５】
前記支持杆は、その両端部外周にネジが形成され、該ネジにナットを螺合することで前記支持杆を前記支持部及び前記容器に固定することを特徴とする請求項１、２、３または４の何れかに記載の容器の固定装置。
【発明の詳細な説明】
【技術分野】
【０００１】  本発明は、例えば、街路灯、電柱、駐車場の車止め、及びテラスの柱等の固定物に花鉢、植木鉢等の容器を掛け止め固定する容器の固定装置に関する。
【背景技術】
【０００２】  街路灯の柱、電柱、及び駐車場の車止め等の固定物に花鉢を飾り、歩道、車道の美化を図る風潮が高まってきている。従来、上記した固定物への花鉢の取り付けは、固定リングで固定物に取り付けた１個のフックに花鉢を吊り下げることによって行なっていた（例えば、特許文献１参照。）。【０００３】  なお、塀などに花鉢を飾る場合には、１個又は２個のフックを塀に取り付け、このフックに花鉢を吊り下げている。
【特許文献１】  特開２００１−２９１９３号公報
【発明の開示】
【発明が解決しようとする課題】
【０００４】  上記した、固定物に１個のフックで花鉢を吊り下げる従来のものにおいては、花鉢は固定されないこと、及び一本のフックでの吊り下げのために、歩行者が不注意に接触した場合に揺れ動き、場合によっては落下する危険性がある。さらには、花鉢は容易に取り外しできるために、持ち去られる危険性もある。【０００５】  また、塀に２個のフックを取り付け、このフックに花鉢を吊り下げるものにあっては、揺れ動きの欠点は概ね解消されるものの、吊り下げ方式であるため、落下するというの危険性、及び持ち去られるという危険性は解消されない。【０００６】  本発明は、歩行者が花鉢に接触しても揺れ動くことが無いとともに落下することもなく、かつ容易に取り外しが出来ない容器の固定装置を提供することを目的とする。
【課題を解決するための手段】
【０００７】  上記の目的は、街路灯の支柱、電柱、駐車場の車止め、及びテラスの柱等の固定物の外周に固定する固定リングと、該固定リングに取り付けて花鉢又は植木鉢等の容器を支持する支持杆とで構成された容器の固定装置であって、前記固定リングは、その外周々方向に間隔をおいて対をなし、かつその幅方向に支持杆受容穴を有する支持部を備え、前記支持杆はＬ型を呈し、その一側を前記支持杆受容穴に挿入固定し、他側を前記容器の取り付け穴に挿入固定することによって達成される。
【発明の効果】
【０００８】  本発明によれば、容器は、間隔をおいて対を成す支持部に支持された２個の支持杆に強固に固定されるので、歩行者が容器に接触しても揺れ動いたり、または外れて落下することを防止できる。また、容易に持ち去られることもない。
【発明を実施するための最良の形態】
【０００９】  本発明は、間隔をおいて対を成す支持部に支持された２個の支持杆で容器を固定するようにしたもので、以下に本発明を実施例で説明する。
【実施例１】
【００１０】  図１、図２に本発明の実施例１を示す。図１は一部を切断して示した平面図であり、図２は図１のＡ−Ｂ断面図を示す。【００１１】  １は、街路灯の支柱、電柱、テラスの柱等で、花鉢等の容器１５を取り付ける固定物を示す。２は本発明に係る容器の固定装置を示し、該固定装置２は、本実施例では、固定リング３、支持部４１、４１、４２、４２、４３、４３、及び４４、４４、支持杆５、５、ナット６、６及び７、７とで構成している。これらの各部材は、例えばステンレス等の錆に強い材料を用いることが好ましい。【００１２】  前記固定リング３は２枚の半円状の薄板で形成され、その一端同士がピン８で回動可能に結合され、他端には夫々鍔９が突設されている。該鍔９は図示しない貫通穴を有し、この貫通穴に固定ボルト１１を通した後に該ボルト１１にナット１２を螺合することで固定される。また固定リング３は、その内周面のほぼ全域に例えば合成ゴム板等で構成した弾性体１３を内張りしている。この弾性体１３は、複数に分割したものを固定リング３の内面に周方向に間隔をおいて内張りしても良い。弾性体１３の存在により、固定物１の外周面に傷がつくことを防止される。前記固定リング３は、円形に限るものではなく、例えば矩形状、多角形でもよく、固定物１の外周形状に応じて種々の形状が用いられる。【００１３】  前記支持部４１、４１、４２、４２、４３、４３、及び４４、４４は、夫々円筒部材で形成され、固定リング３の外周に間隔を置いて溶接等の手段で前記固定リング３の幅方向に延びて固定されている。支持部４１と４１が対を成し、同様に４２と４２が、４３と４３が、４４と４４が夫々対を成す構成になっている。対を成す夫々の支持部の間隔は、本実施例では、図１に示すように、支持部４１、４１の間隔と４３、４３の間隔がＬ１で共に等しく、また、支持部４２、４２と４４、４４の間隔がＬ２で共に等しくしている。間隔の異なる２種類の支持部を設けたのは、容器１５の取り付け穴１４、１４の間隔が容器１５の大きさによって異なるので、容器１５の取り付け穴１４、１４の間隔に合った支持部を選択して使用するためである。また、これらの支持部を固定バンド３の両側に配置したのは、固定物１の両側に容器１５を固定できるようにするためである。本例では、取り付け穴１４、１４の間隔が異なる２種類の容器の取り付けが可能になっているが、対をなす支持部の間隔が異なる対を成す複数の支持部を固定バンド３の周囲に設けることにより、取り付け穴１４、１４の間隔が異なる多種類の容器の取り付けが可能となる。【００１４】  前記支持杆５、５はＬ型を呈し、端部外周にネジ部を有しており、このネジ部に前記ナット６、６、及びナット７、７が螺合される。２つの支持杆５、５はＬ型の一方が支持部４１、４１の支持杆受容穴１６、１６に挿入されてナット６、６で締め付け固定され、他方が容器１５の取り付け穴１４、１４に挿入されて同様にナット７、７で締め付け固定される。【００１５】  １０はその上部を固定リング３に固定した所定高さを持った２本の支脚であり、本発明装置２を取り付ける固定物１の強度が弱い場合の補強、若しくは容器１５の高さの一定化を図るという点で有効である。ただし、固定物１の強度が充分な場合、及び容器１５の取り付け高さを作業者が決めて取り付ける場合には支脚１０は不要である。なお、上記支脚１０を固定リング３よりも上方に所定量突出させることにより、容器１５を照らす照明灯、雨よけ、日よけ、又は霜よけ等の支持部として役立てることが出来る。【００１６】  次に、本発明装置２による街路灯の支柱、電柱等の固定物１への容器１５の取り付け方法について説明する。本例では、間隔の狭い一方の支持部４１、４１を使用した取り付け例を説明する。【００１７】  まず、固定リング３を固定物１の外周に添わせてボルト１１とナット１２により適宜高さに固定する。このとき弾性体１３が圧縮されて弾性変形し、強固に固定できる。次いで、支持杆５、５を支持部４１、４１に挿入し、ネジ部にナット６、６を螺合して支持杆５、５を支持部４１、４１に固定する。次いで、容器１５の取り付け穴１４、１４を支持杆５、５の上方水平部に挿入し、ネジ部にナット７、７を螺合し容器１５を支持杆５、５に固定する。【００１８】  次に、図３、図４を用いて、固定物１である駐車場の車止めの水平部への取り付け方法について説明する。この場合は、固定物１の水平部に本発明の固定装置２を２セット使用し、所定間隔を置いて縦方向に配置固定する。次に対を成す支持部４１、４１のうち一方の支持部４１に支持杆５を固定し、容器１５を固定している。なお、図３、図４において、図１、図２と同一符号は同一部分を示す。
【実施例２】
【００１９】  図５、図６は、支持部４１〜４４の他の例を示すものである。本例は、固定リング３をプレス加工によりその一部を外方に突出させることで支持杆５、５を挿通可能な支持杆受容穴１６を形成したものである。図５、図６において、図１、図２と同一符号は同一部分を示す。
【図面の簡単な説明】
【００２０】
【図１】本発明に係る容器の固定装置を示す一部を切断して示した平面図で、街路灯の支柱、電柱等の固定物へ取り付けた例を示す。（実施例１）
【図２】図１のＡ−Ｂ断面図。（実施例１）
【図３】本発明に係る容器の固定装置を示す平面図で、駐車場の車止めへ取り付けた例を示す。（実施例１）
【図４】図３の正面図。（実施例１）
【図５】本発明に係る容器の固定装置における固定バンドの平面図。（実施例２）
【図６】図５の正面図。（実施例２）
【符号の説明】
【００２１】  １は固定物、２は固定装置、３は固定リング、５は支持杆、１３は弾性体、１０は支脚、１６は支持杆受容穴、４１、４２、４３、４４は支持部である。
【図１】
2005137829.tif 000003
【図２】
2005137829.tif 000004
【図３】
2005137829.tif 000005
【図４】
2005137829.tif 000006
【図５】
2005137829.tif 000007
【図６】
2005137829.tif 000008